(57)【要約】【課題】ライン形ＬＥＤ照明器具の設置に関してその自由度を更に高めることを可能にする。【解決手段】本発明の一実施形態に係る照明システム１０は、ライン形ＬＥＤ照明器具１２を保持するように構成された保持具１４、１６であって、該保持具１４、１６は、ダクトレール２０に該ダクトレール２０の長手方向に移動可能に構成され、かつ、前記ライン形ＬＥＤ照明器具１２を前記長手方向に対して異なる方向に保持可能に構成されている保持具と、前記ライン形ＬＥＤ照明器具への給電を可能にするように構成された給電装置１８とを備える。【選択図】図１
2020187946.tif 000002
【特許請求の範囲】
【請求項１】
ライン形ＬＥＤ照明器具を保持するように構成された保持具であって、該保持具はダクトレールに該ダクトレールの長手方向において移動可能に構成され、かつ、前記ライン形ＬＥＤ照明器具を前記長手方向に対して異なる方向に保持可能に構成されている保持具と、
該保持部により保持された前記ライン形ＬＥＤ照明器具への給電を可能にするように構成された給電部とを備えた照明システム。
【請求項２】
１本の前記ライン形ＬＥＤ照明器具を少なくとも２本のダクトレールに渡すように、前記保持具は前記２本のダクトレールのそれぞれに取り付けられる、
請求項１に記載の照明システム。
【請求項３】
第１のライン形ＬＥＤ照明器具を第２のライン形ＬＥＤ照明器具と交差可能にするように、前記保持具は、前記第１のライン形ＬＥＤ照明器具を保持するための第１の保持具と、該第１の保持具と異なる長さを有する第２の保持具であって前記第２のライン形ＬＥＤ照明器具を保持するための第２の保持具とを有する
請求項１又は２に記載の照明システム。
【請求項４】
前記保持具は、長さを調整可能に構成される
請求項３に記載の照明システム。
【請求項５】
複数のライン形ＬＥＤ照明器具を直列につなぐ連結コードを更に備える
請求項１から４のいずれか一項に記載の照明システム。
【請求項６】
前記ライン形ＬＥＤ照明器具は、直線状のライン形ＬＥＤ照明器具又は曲線状のライン形ＬＥＤ照明器具を含む、
請求項１から５のいずれか一項に記載の照明システム。
【請求項７】
ライン形ＬＥＤ照明器具を保持するように構成された給電機能無しの保持具であって、
ダクトレールに該ダクトレールの長手方向において移動可能に構成され、かつ、前記ライン形ＬＥＤ照明器具を前記長手方向に対して異なる方向に保持可能に構成されている
保持具。
【請求項８】
前記保持具は、長さを調整可能に構成される
請求項７に記載の保持具。
【発明の詳細な説明】
【技術分野】
【０００１】
本発明は、照明システムに関し、特にライン形ＬＥＤ照明器具の照明システムに関する。
【背景技術】
【０００２】
種々の照明が提案されて実用化されている。例えば、特許文献１のＬＥＤ照明システムでは、天井側に水平方向に延びるようにダクトレールを設け、このダクトレールにジョイント部を介してライン形ＬＥＤモジュールを取り付けている。特許文献１の記載によれば、ジョイント部をダクトレールにジョイントすることにより、ライン形ＬＥＤモジュールは、ダクトレールからの給電を受けて発光するようにされていて、またダクトレールの延びる方向にスライド移動させることができるとともに、鉛直軸線周りで回転変位させることができる。
【先行技術文献】
【特許文献】
【０００３】
【特許文献１】特開２０１１−１０８４８９号公報
【発明の概要】
【発明が解決しようとする課題】
【０００４】
特許文献１に記載のシステムでは、ライン形ＬＥＤモジュールは、上記ジョイント部によりダクトレールに取り付け支持されているので、ライン形ＬＥＤモジュールの設け方は依然として制限されている。
【０００５】
本発明の目的は、ライン形ＬＥＤモジュールのようなライン形ＬＥＤ照明器具の設置に関してその自由度を更に高めることを可能にすることにある。
【課題を解決するための手段】
【０００６】
上記目的を達成するために、本発明の一態様は、ライン形ＬＥＤ照明器具を保持するように構成された保持具であって、該保持具はダクトレールに該ダクトレールの長手方向において移動可能に構成され、かつ、前記ライン形ＬＥＤ照明器具を前記長手方向に対して異なる方向に保持可能に構成されている保持具と、該保持部により保持された前記ライン形ＬＥＤ照明器具への給電を可能にするように構成された給電部とを備えた照明システムを提供する。
【０００７】
１本の前記ライン形ＬＥＤ照明器具を少なくとも２本のダクトレールに渡すように、前記保持具は前記２本のダクトレールのそれぞれに取り付けられていてもよい。
【０００８】
好ましくは、第１のライン形ＬＥＤ照明器具を第２のライン形ＬＥＤ照明器具と交差可能にするように、前記保持具は、前記第１のライン形ＬＥＤ照明器具を保持するための第１の保持具と、該第１の保持具と異なる長さを有する第２の保持具であって前記第２のライン形ＬＥＤ照明器具を保持するための第２の保持具とを有する。
【０００９】
前記保持具は、長さを調整可能に構成されるとよい。
【００１０】
更に、前述の照明システムは、複数のライン形ＬＥＤ照明器具を直列につなぐ連結コードを備えることができる。
【００１１】
好ましくは、前記ライン形ＬＥＤ照明器具は、直線状のライン形ＬＥＤ照明器具又は曲線状のライン形ＬＥＤ照明器具を含む。
【００１２】
本発明は、ライン形ＬＥＤ照明器具を保持するように構成された給電機能無しの保持具であって、ダクトレールに該ダクトレールの長手方向において移動可能に構成され、かつ、前記ライン形ＬＥＤ照明器具を前記長手方向に対して異なる方向に保持可能に構成されている保持具にも存する。この保持具は、長さを調整可能に構成されるとよい。
【発明の効果】
【００１３】
本発明の上記一態様によれば、上記構成を備えるので、ライン形ＬＥＤ照明器具の設置に関してその自由度を更に高めることが可能になる。
【図面の簡単な説明】
【００１４】
【図１】本発明の第１実施形態に係る照明システムを表した図である。
【図２】図１の照明システムの保持具の図であり、（ａ）はその正面図、（ｂ）は側面図である。
【図３】図２の保持具へのライン形ＬＥＤ照明器具の取り付けを説明するための図である。
【図４】図２の保持具へのライン形ＬＥＤ照明器具の取り付けにおける、落下防止を目的としたストラップ部材の使用を説明するための図であり、（ａ）はそのストラップ部材の正面図、（ｂ）はその側面図、（ｃ）は保持具へのストラップ部材を用いてのライン形ＬＥＤ照明器具の取り付け状態を示す図である。
【図５】図１の照明システムによる、ライン形ＬＥＤ照明器具の特徴的な配置例を表す図である。
【図６】本発明の第２実施形態に係る照明システムにおける保持具の図であり、（ａ）の保持具と（ｂ）の保持具との関係を説明するための図である。
【図７】本発明の第２実施形態に係る照明システムによる、ライン形ＬＥＤ照明器具の配置例を表す図である。
【図８】本発明の更なる実施形態に係る照明システムでの、ライン形ＬＥＤ照明器具の保持及び連結を表す図である。
【発明を実施するための形態】
【００１５】
以下、本発明に係る実施形態を添付図に基づいて説明する。同一の部品（又は構成）には同一の符号を付してあり、それらの名称及び機能も同じである。したがって、それらについての詳細な説明は繰返さない。
【００１６】
まず、本発明の第１実施形態に係る照明システム１０を図１から図５に基づいて説明する。図１に示すように、照明システム１０は、ライン形ＬＥＤ照明器具１２を保持するように構成された保持具１４、１６を備える。更に、照明システム１０は、ライン形ＬＥＤ照明器具１２への給電を可能にするように構成された給電装置１８を備えている。ライン形ＬＥＤ照明器具１２は、ライン形照明器具（つまりライン形光源）の一例であり、複数のＬＥＤ（発光ダイオード）をライン状に並べたＬＥＤ照明器具である。なお、用語「ライン形ＬＥＤ照明器具」は、「直線状」のライン形ＬＥＤ照明器具と、「曲線状」のライン形ＬＥＤ照明器具とを含むが、以下では、理解を容易にするため「直線状」のライン形ＬＥＤ照明器具について代表して記す。
【００１７】
図１では、保持具１４、１６と、給電装置１８とは、天井Ｃに設けられたダクトレール２０に取り付けられている。ダクトレール２０は天井Ｃに概ね平行に設けられているが、天井Ｃと非平行な関係を有することもできる。ダクトレール２０は、ライティングレールともいわれるものであり、電源の電極を取り付けた照明部品である。ダクトレール２０は、その内部のレール（以下、通電レール）２２上に電気が流れるように構成されている。なお、図１では、通電レール２２は、線Ｌ１と線Ｌ２との間の範囲に相当する。ダクトレール２０には、支持用のレール（以下、支持レール）２４が形成されている。支持レール２４は、ダクトレール２０の両側の側壁部２６のそれぞれから内側に天井と略平行になるように延出する部分である。支持レール２４は、ここでは、ダクトレール２０の長手方向の全長にわたって形成されている。
【００１８】
保持具１４、１６は、ダクトレール２０の電気が流れるその通電レール２２に接しないように、ダクトレール２０に取り付けられる。図１から明らかなように、ダクトレール２０に取り付けられた状態の保持具１４、１６は、通電レール２２から離れている。このように、保持具１４、１６は、ライン形ＬＥＤ照明器具１２への給電機能を有さない。なお、図１の例では、以下に説明するように違いのある２つの保持具１４、１６を用いるが、図１の保持具は同じもの（例えば、両方ともに保持具１４、或いは、両方ともに保持具１６）であってもよい。
【００１９】
保持具１４、１６のうちの一方の保持具（以下、第１保持具）１４を図２に示す。図２の第１保持具１４は図１の取付状態でのものである。図２（ａ）は図１と同じ向きからの第１保持具１４の図であり、図２（ｂ）は図２（ａ）と直角をなす向きからの第１保持具１４の図であり、ダクトレール２０の長手方向側からの図である。第１保持具１４は、軸線１４Ａを有する。第１保持具１４は、保持具本体１４ｂと、光源保持部１４ｃとを備える。保持具本体１４ｂは、ダクトレール２０の支持レール２４に係合可能に構成されたフランジ状係合部２８と、ダクトレール２０での第１保持具１４の軸線１４Ａ周りの保持具本体１４ｂの回転を阻止して保持具本体１４ｂをダクトレール２０に取り付けるための取付部３０とを備える。光源保持部１４ｃは、ライン形ＬＥＤ照明器具１２に係合可能なフック部３２を備える。光源保持部１４ｃは、保持具本体１４ｂに、第１保持具１４の軸線１４Ａに沿ってねじ込まれるねじ３４によって取り付けられる。したがって、保持具本体１４ｂに対する光源保持部１４ｃの向きは、例えば軸線１４Ａを中心とした径方向の向きは任意に調整可能である。
【００２０】
第１保持具１４をダクトレール２０にとりつけるとき、第１保持具１４は、フランジ状係合部２８がダクトレール２０の支持レール２４間に出し入れ可能な姿勢でそこに挿入されて軸線１４Ａ周りに回転される。このとき、第１保持具１４の取付部３０は、支持レール２４間に入るように動かされる。これにより第１保持具１４はダクトレール２０に取り付けられる。第１保持具１４を取り外すときは、取付部３０を図２の矢印に従い動かしつつ、第１保持具１４を取り付けるときと逆側に回転させる。
【００２１】
もう１つの保持具（以下、第２保持具）１６は、第１保持具１４と概ね同じ構成を備える。第２保持具１６は、軸線１６Ａを有し、保持具本体１６ｂと、光源保持部１６ｃとを備える。保持具本体１６ｂは、ダクトレール２０の支持レール２４に係合可能に構成されたフランジ状係合部３６と、ダクトレール２０での第２保持具１６の軸線１６Ａ周りの回転を阻止して取り付けるための取付部３８とを備える。このように、第２保持具１６の保持具本体１６ｂは第１保持具１４の保持具本体１４ｂと概ね同じ構成を備えるので、第２保持具１６のダクトレール２０への取り付けや取り外しは、第１保持具１４のそれと同じである。第２保持具１６の光源保持部１６ｃは、ライン形ＬＥＤ照明器具１２に係合可能なフック部４０を備える。光源保持部１６ｃは、保持具本体１６ｂに、第２保持具１６の軸線１６Ａに沿ってねじ込まれるねじ４１によって取り付けられる。したがって、保持具本体１６ｂに対する光源保持部１６ｃの向きは任意に調整可能である。なお、第２保持具１６は、図１から明らかなように、光源保持部１６ｃの構成、特に形状の点で第１保持具１４と違いを有するが、機能面では実質的に同じである。
【００２２】
このように、第１保持具１４も、第２保持具１６も、ダクトレール２０の支持レール２４に取り付けられるので、ダクトレール２０の支持レール２４に沿った任意の箇所に取付可能である。つまり、第１保持具１４も、第２保持具１６も、ダクトレール２０の長手方向において移動可能にダクトレール２０に取り付けられる。そして、第１保持具１４も、第２保持具１６も、その軸線１４Ａ、１６Ａの方向の長さは概ね同じである。したがって、第１保持具１４及び第２保持具１６は、図１において、ライン形ＬＥＤ照明器具１２をダクトレール２０の長手方向に概ね平行に、つまりダクトレール２０が取り付けられた天井Ｃに概ね平行に保持する。また、第１保持具１４において保持具本体１４ｂに対する光源保持部１４ｃの向きは任意に調整可能であり、これは第２保持具１６においても同様である。したがって、第１保持具１４も、第２保持具１６も、ライン形ＬＥＤ照明器具１２をダクトレール２０の長手方向に対して異なる方向にも保持できる。つまり、第１保持具１４も、第２保持具１６も、ライン形ＬＥＤ照明器具１２をダクトレール２０の長手方向に対して、軸線１４Ａ、１６Ａ周りで０°より大きくかつ１８０°より小さい角度範囲分ずれた方向に保持できる。
【００２３】
給電装置１８は、給電部に相当し、ここでは、ダクトレール２０の長手方向の一端部からダクトレール２０の支持レール２４間に挿入されて取り付けられている。なお、給電装置１８は、保持部１４、１６の上記保持具本体１４ｂ、１６ｂの構成を備えて、保持部１４、１６と同じようにダクトレール２０に取り付けられてもよい。給電装置１８は、図１から明らかなように、ダクトレール２０の通電レール２２の範囲に電気接点４２を有している。また、給電装置１８には、ライン形ＬＥＤ照明器具１２に取り付けられるプラグ４３を有する。それ故、給電装置１８は、ライン形ＬＥＤ照明器具１２へ給電可能である。なお、給電装置１８は、ダクトレール２０からライン形ＬＥＤ照明器具１２へ給電するのではなく、ダクトレール２０外の電源に直接的に繋がれてライン形ＬＥＤ照明器具１２へ給電してもよい。給電装置１８は、それ自体の取り付けや取り外し用に取付ボタン４４を有している。
【００２４】
ライン形ＬＥＤ照明器具１２は上記構成を有する保持具１４、１６に保持され、給電装置１８からプラグ４３が差し込まれることで給電されて発光する。ここで、ライン形ＬＥＤ照明器具１２の第１保持具１４への取り付けについて図３の模式図に基づいて説明する。第１保持具１４は、前述の如く、光源保持部１４ｃにフック部３２を備える。ライン形ＬＥＤ照明器具１２は、図３（ａ）に示すようにその上端側の両脇に係合溝４６ａ、４６ｂを備える。まず、一方の係合溝４６ａにフック部３２の一方のフック部３２ａを係合させ（図３（ｂ）参照）、他方の係合溝４６ｂに他方のフック部３２ｂを係合させる。これにより、図３（ｃ）に示すように、第１保持具１４にライン形ＬＥＤ照明器具１２は保持されるようになる。そして、ライン形ＬＥＤ照明器具１２は、更に第２保持具１６のフック部４０を係合溝４６ａ、４６ｂに係合させることで、第２保持具１６によっても保持されるようになる。このように、２つの保持具１４、１６を用いて、ライン形ＬＥＤ照明器具１２はしっかりと保持される。なお、１種類の１つの保持具のみによってライン形ＬＥＤ照明器具１２が保持されることを排除するものではない。
【００２５】
保持具１４、１６でのライン形ＬＥＤ照明器具１２の保持に関して、更に落下防止を目的としたストラップ部材４８が用いられてもよい。図１及び図２（ａ）に示すように、第１保持具１４の光源保持部１４ｃには、ストラップ係合孔４７が設けられている。なお、光源保持部１４ｃには、ここでは２つのストラップ係合孔４７が設けられている。このストラップ係合孔４７には、図４（ａ）、（ｂ）に示すストラップ部材４８の両端部の係合部４８ａが係合可能である。図３（ｃ）に示すように第１保持具１４にライン形ＬＥＤ照明器具１２を保持させた状態で、そのライン形ＬＥＤ照明器具１２を更にしっかりと保持するようにストラップ部材４８を位置付けて、そのストラップ部材４８の係合部４８ａをストラップ係合孔４７に係合させる。これにより、第１保持具１４で保持されたライン形ＬＥＤ照明器具１２は、図４（ｃ）に示すようによりしっかりとストラップ部材４８により保持されることになる。したがって、第１保持具１４で保持されたライン形ＬＥＤ照明器具１２の意図しない落下をより確実に防止することが可能になる。なお、図４（ｃ）では、第１保持具１４は、その一部の光源保持部１４ｃのみが表されている。
【００２６】
以上説明したように、上記照明システム１０では、ダクトレール２０にライン形ＬＥＤ照明器具１２を取り付けるための保持具１４、１６から給電機能を分離し、給電装置１８が別途設けられている。そして、保持具１４、１６において保持具本体１４ｂ、１６ｂに対する光源保持部１４ｃ、１６ｃの向きは任意に調整可能である。したがって、特許文献１に記載のシステムに比べて、本照明システム１０は、はるかに、ライン形ＬＥＤ照明器具の設置に関して高い自由度を有する。
【００２７】
例えば、図５に示すように、２本のダクトレール２０間に１本のライン形ＬＥＤ照明器具１２を渡すようにすることも可能である。図５では示さないが、図５では、第１保持具１４のみがライン形ＬＥＤ照明器具１２の保持具として用いられているが、その一部又は全部が第２保持具１６により置き換えられてもよい。図５の場合、２本のダクトレール２０のそれぞれにおける各第１保持具１４は、互いに平行な２本のダクトレール２０間で１本のライン形ＬＥＤ照明器具１２を渡すことを可能にするように、保持具本体１４ｂに対する光源保持部１４ｃの向きは、ダクトレール２０の長手方向に対して異なる方向に調整されている。なお、ここでいう、異なる方向は、ダクトレール２０の長手方向に直交する方向を含むものと理解されるべきである。複数のダクトレール２０間に１本のライン形ＬＥＤ照明器具１２を渡すことを、複数のライン形ＬＥＤ照明器具１２に対して行うことで、図５では、複数のライン形ＬＥＤ照明器具１２でジグザグ模様の照明を可能にしている。なお、このようなライン形ＬＥＤ照明器具１２の配置により、ダクトレール２０に空き領域が多くでき、よって、例えば要所要所にスポットライトの設置が可能となる。
【００２８】
更に、図５の場合、１本のライン形ＬＥＤ照明器具１２から別のライン形ＬＥＤ照明器具１２に電気を供給可能にするように、それらの間に複数のライン形ＬＥＤ照明器具を直列につなぐ連結コード５０が設けられている。これにより、ダクトレール２０へのライン形ＬＥＤ照明器具１２の配置に関して、更に自由度を高めることが可能になる。
【００２９】
また、上記実施形態の照明システム１０では、給電装置１８からライン形ＬＥＤ照明器具１２に直接的にプラグが差し込まれたが、ライン形ＬＥＤ照明器具１２からコネクタが延出している場合には、このコネクタに給電装置１８のプラグが差し込まれてもよい。
【００３０】
次に、本発明の第２実施形態について説明する。第２実施形態の照明システム１１０は、ライン形ＬＥＤ照明器具１２を交差可能にする構成を備える。照明システム１１０では、保持具として第１保持具１４を用いるが、第２保持具１６を用いることも可能である。以下では、第１実施形態の照明システム１０との相違点について、第２実施形態の照明システム１１０を主に説明し、重複説明を省略する。
【００３１】
第２実施形態では、軸線１４Ａ方向の長さの異なる保持具１４を用いる。図６に、第２実施形態の保持具１４を示す。図６（ａ）は上記第１保持具１４そのものである保持具１４Ｐを示し、図６（ｂ）はスペーサ６０を用いて図６（ａ）の保持具１４Ｐと比べて軸線１４Ａ方向の長さを長くした保持具１４Ｑを示す。図６（ｂ）の保持具１４Ｑでは、スペーサ６０は、その一端の雄ねじが保持具本体１４ｂのねじ孔に螺合し、他端の雌ねじ孔に光源保持部１４ｃの固定用のねじ３４がねじ込まれることにより、保持具本体１４ｂと光源保持部１４ｃとの間に固定されている。図６（ａ）では保持具１４Ｐによりライン形ＬＥＤ照明器具１２Ｐが保持され、図６（ｂ）では保持具１４Ｑによりライン形ＬＥＤ照明器具１２Ｑが保持されている。なお、ライン形ＬＥＤ照明器具１２Ｐは、ライン形ＬＥＤ照明器具１２Ｑと同じものである。そして、保持具１４Ｐ、１４Ｑを同一平面（例えば支持レール２４）Ｓ上に取り付けたとき、一方の保持具Ｐのライン形ＬＥＤ照明器具１２Ｐの下端（図６の線Ｌ３参照）よりも他方の保持具１４Ｑのライン形ＬＥＤ照明器具１２Ｑの上端（図６の線Ｌ４参照）が下方に位置するように、スペーサ６０の長さは設計されている。このように、保持具１４は、その長さを調整可能に構成されている。
【００３２】
このような長さの異なる保持具１４Ｐと保持具１４Ｑとを用いることで、保持具１４Ｐで保持するライン形ＬＥＤ照明器具１２Ｐと保持具１４Ｑで保持するライン形ＬＥＤ照明器具１２Ｑの位置をずらして交差させることができる。したがって、例えば、天井に平行に設けた複数のダクトレール２０に対して、図７（ａ）に示すようなライン形ＬＥＤ照明器具１２の配置や、図７（ｂ）に示すようなライン形ＬＥＤ照明器具１２の配置は実現可能になる。これにより、ライン形ＬＥＤ照明器具１２で種々の模様や文字を描くことが可能になり、優れた照明効果を発揮可能になる。
【００３３】
なお、スペーサ６０を用いて保持具１４の長さを調整可能にしたが、例えば、入れ子式のシャフトを保持具に設けることで保持具１４の長さは調整可能にされてもよい。また、図７に示すようにライン形ＬＥＤ照明器具１２を交差させるとき、給電の自由度を更に高めるように上記連結コード５０が用いられてもよい。
【００３４】
なお、長さの異なる保持具を用いて１本のライン形ＬＥＤ照明器具を１本の又は複数のダクトレールに取り付けることも可能である。この場合、ダクトレール２０が設置された面、例えば天井Ｃに対して非平行な状態に、ライン形ＬＥＤ照明器具を取り付けることができる。
【００３５】
上記照明システム１０、１１０では、ライン形ＬＥＤ照明器具１２の配向方向、高さ位置などにおける自由度を高めることができ、よって、照明効果を高めることができる。更に、上記照明システムでは、ライン形ＬＥＤ照明器具１２に加えて、スポットライトも設けることができるので、更に照明効果を高めることが可能になる。なお、照明システムにおけるライン形ＬＥＤ照明器具１２の各色を変えて組み合わせることで、更に優れた照明演出効果を得ることが可能になる。また、本発明に係る照明システムは、天井以外にも適用可能であり、例えば、鉛直方向に直立する壁面にも適用可能である。
【００３６】
以上、本発明の代表的な実施形態及び変形例について説明したが、本発明はそれらに限定されない。本願の特許請求の範囲によって定義される本発明の精神及び範囲から逸脱しない限り、種々の置換、変更が可能である。
【００３７】
例えば、給電部は、ダクトレール以外に取り付けられてもよい。また、ライン形ＬＥＤ照明器具１２ａをダクトレール２０の保持具とダクトレール２０外の箇所の保持具とで保持するようにしてもよい。図８に模式的に示すように、ライン形ＬＥＤ照明器具１２ａをダクトレール２０の保持具と、ダクトレール２０外の箇所の保持具である天井Ｃに直接的に取り付けた保持具７０とで保持してもよい。更に、保持具で２本のダクトレール２０に別々に取り付けたライン形ＬＥＤ照明器具１２ｂ、１２ｃ同士をジョイント部材７２を使用して連結することも可能である。これにより、２本のライン形ＬＥＤ照明器具１２ｂ、１２ｃを１本のライン形ＬＥＤ照明器具のように設置することもできる。
【符号の説明】
【００３８】
１０、１１０  照明システム
１２、１２ａ、１２ｂ、１２ｃ  ライン形ＬＥＤ照明器具
１４、１６  保持具
１８  給電装置
２０  ダクトレール
【図１】
2020187946.tif 000003
【図２】
2020187946.tif 000004
【図３】
2020187946.tif 000005
【図４】
2020187946.tif 000006
【図５】
2020187946.tif 000007
【図６】
2020187946.tif 000008
【図７】
2020187946.tif 000009
【図８】
2020187946.tif 000010
【手続補正書】
【提出日】令和1年9月10日(2019.9.10)
【手続補正１】
【補正対象書類名】特許請求の範囲
【補正対象項目名】全文
【補正方法】変更
【補正の内容】
【特許請求の範囲】
【請求項１】
ライン形ＬＥＤ照明器具を保持するように構成された保持具であって、該保持具はダクトレールに該ダクトレールの長手方向において移動可能に構成され、かつ、前記ライン形ＬＥＤ照明器具を前記長手方向に対して異なる方向に保持可能に構成されている保持具と、
該保持具により保持された前記ライン形ＬＥＤ照明器具への給電を可能にするように構成された給電部とを備えた照明システム。
【請求項２】
１本の前記ライン形ＬＥＤ照明器具を少なくとも２本のダクトレールに渡すように、前記保持具は前記２本のダクトレールのそれぞれに取り付けられる、
請求項１に記載の照明システム。
【請求項３】
第１のライン形ＬＥＤ照明器具を第２のライン形ＬＥＤ照明器具と交差可能にするように、前記保持具は、前記第１のライン形ＬＥＤ照明器具を保持するための第１の保持具と、該第１の保持具と異なる長さを有する第２の保持具であって前記第２のライン形ＬＥＤ照明器具を保持するための第２の保持具とを有する
請求項１又は２に記載の照明システム。
【請求項４】
前記保持具は、長さを調整可能に構成される
請求項３に記載の照明システム。
【請求項５】
複数のライン形ＬＥＤ照明器具を直列につなぐ連結コードを更に備える
請求項１から４のいずれか一項に記載の照明システム。
【請求項６】
前記ライン形ＬＥＤ照明器具は、直線状のライン形ＬＥＤ照明器具又は曲線状のライン形ＬＥＤ照明器具を含む、
請求項１から５のいずれか一項に記載の照明システム。
【請求項７】
ライン形ＬＥＤ照明器具を保持するように構成された給電機能無しの保持具であって、
ダクトレールに該ダクトレールの長手方向において移動可能に構成され、かつ、前記ライン形ＬＥＤ照明器具を前記長手方向に対して異なる方向に保持可能に構成されている
保持具。
【請求項８】
前記保持具は、長さを調整可能に構成される
請求項７に記載の保持具。
【手続補正２】
【補正対象書類名】明細書
【補正対象項目名】０００６
【補正方法】変更
【補正の内容】
【０００６】
上記目的を達成するために、本発明の一態様は、ライン形ＬＥＤ照明器具を保持するように構成された保持具であって、該保持具はダクトレールに該ダクトレールの長手方向において移動可能に構成され、かつ、前記ライン形ＬＥＤ照明器具を前記長手方向に対して異なる方向に保持可能に構成されている保持具と、該保持具により保持された前記ライン形ＬＥＤ照明器具への給電を可能にするように構成された給電部とを備えた照明システムを提供する。
【手続補正３】
【補正対象書類名】明細書
【補正対象項目名】００２３
【補正方法】変更
【補正の内容】
【００２３】
給電装置１８は、給電部に相当し、ここでは、ダクトレール２０の長手方向の一端部からダクトレール２０の支持レール２４間に挿入されて取り付けられている。なお、給電装置１８は、保持具１４、１６の上記保持具本体１４ｂ、１６ｂの構成を備えて、保持具１４、１６と同じようにダクトレール２０に取り付けられてもよい。給電装置１８は、図１から明らかなように、ダクトレール２０の通電レール２２の範囲に電気接点４２を有している。また、給電装置１８には、ライン形ＬＥＤ照明器具１２に取り付けられるプラグ４３を有する。それ故、給電装置１８は、ライン形ＬＥＤ照明器具１２へ給電可能である。なお、給電装置１８は、ダクトレール２０からライン形ＬＥＤ照明器具１２へ給電するのではなく、ダクトレール２０外の電源に直接的に繋がれてライン形ＬＥＤ照明器具１２へ給電してもよい。給電装置１８は、それ自体の取り付けや取り外し用に取付ボタン４４を有している。
【手続補正４】
【補正対象書類名】図面
【補正対象項目名】図５
【補正方法】変更
【補正の内容】
【図５】
2020187946.tif 000011
【手続補正５】
【補正対象書類名】図面
【補正対象項目名】図７
【補正方法】変更
【補正の内容】
【図７】
2020187946.tif 000012
【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
ライン形ＬＥＤ照明器具を保持するように構成された給電機能無しの保持具であって、該保持具はダクトレールの通電レールに接しないように前記ダクトレールに取り付け可能に構成され、前記ダクトレールに該ダクトレールの長手方向において移動可能に構成され、かつ、前記ライン形ＬＥＤ照明器具を前記長手方向に対して異なる方向に保持可能に構成されている保持具と、
該保持具により保持された前記ライン形ＬＥＤ照明器具への給電を可能にするように構成された給電部と
を備えた照明システム。
【請求項２】
第１のライン形ＬＥＤ照明器具を第２のライン形ＬＥＤ照明器具と交差可能にするように、前記保持具は、前記第１のライン形ＬＥＤ照明器具を保持するための第１の保持具と、該第１の保持具と異なる長さを有する第２の保持具であって前記第２のライン形ＬＥＤ照明器具を保持するための第２の保持具とを有する
請求項１に記載の照明システム。
【請求項３】
ライン形ＬＥＤ照明器具を保持するように構成された保持具であって、該保持具はダクトレールに該ダクトレールの長手方向において移動可能に構成され、かつ、前記ライン形ＬＥＤ照明器具を前記長手方向に対して異なる方向に保持可能に構成されている保持具と、
該保持具により保持された前記ライン形ＬＥＤ照明器具への給電を可能にするように構成された給電部と
を備え、
第１のライン形ＬＥＤ照明器具を第２のライン形ＬＥＤ照明器具と交差可能にするように、前記保持具は、前記第１のライン形ＬＥＤ照明器具を保持するための第１の保持具と、該第１の保持具と異なる長さを有する第２の保持具であって前記第２のライン形ＬＥＤ照明器具を保持するための第２の保持具とを有する、
照明システム。
【請求項４】
前記保持具は、長さを調整可能に構成される
請求項２又は３に記載の照明システム。
【請求項５】
１本の前記ライン形ＬＥＤ照明器具を少なくとも２本のダクトレールに渡すように、前記保持具は前記２本のダクトレールのそれぞれに取り付けられる、
請求項１から４のいずれか一項に記載の照明システム。
【請求項６】
複数のライン形ＬＥＤ照明器具を直列につなぐ連結コードを更に備える
請求項１から５のいずれか一項に記載の照明システム。
【請求項７】
前記ライン形ＬＥＤ照明器具は、直線状のライン形ＬＥＤ照明器具又は曲線状のライン形ＬＥＤ照明器具を含む、
請求項１から６のいずれか一項に記載の照明システム。
【請求項８】
ライン形ＬＥＤ照明器具を保持するように構成された給電機能無しの保持具であって、
ダクトレールの通電レールに接しないように前記ダクトレールに取り付け可能に構成され、前記ダクトレールに該ダクトレールの長手方向において移動可能に構成され、かつ、前記ライン形ＬＥＤ照明器具を前記長手方向に対して異なる方向に保持可能に構成されている
保持具。
【請求項９】
前記保持具は、長さを調整可能に構成される
請求項８に記載の保持具。